【手続補正書】
【提出日】平成25年2月6日(2013.2.6)
【手続補正１】
【補正対象書類名】明細書
【補正対象項目名】０００７
【補正方法】変更
【補正の内容】
【０００７】
本発明の一態様は、撮影場所を含む撮影情報を付加した画像データを複数記録した画像記録手段と、上記画像記録手段の中から電子アルバムの作成対象となる複数の画像データを選択する画像選択手段と、上記画像選択手段により選択された複数の画像データの各々を、電子アルバムに含まれる複数のページのいずれかに配置および合成して電子アルバムを作成する電子アルバム生成手段と、地図情報を記憶した地図記憶手段と、上記画像選択手段により選択された複数の画像データの撮影場所を全て含む地図範囲を特定する地図範囲特定手段と、上記地図範囲特定手段により特定された地図範囲の地図画像を上記地図情報に基づいて生成する地図画像生成手段と、上記地図画像生成手段により生成された地図画像上に、上記画像選択手段により選択された複数の画像データの撮影地点を示すシンボルを合成する合成手段と、上記合成手段によりシンボルが合成された地図画像を、電子アルバムのインデックスページとして上記電子アルバム内に挿入するインデックスページ挿入手段と、を備えたことを特徴とする。
【手続補正２】
【補正対象書類名】明細書
【補正対象項目名】０００８
【補正方法】変更
【補正の内容】
【０００８】
本発明によれば、より見やすいインデックスページが挿入された電子アルバムを作成することができる。
【手続補正３】
【補正対象書類名】特許請求の範囲
【補正対象項目名】全文
【補正方法】変更
【補正の内容】
【特許請求の範囲】
【請求項１】
撮影場所を含む撮影情報を付加した画像データを複数記録した画像記録手段と、
上記画像記録手段の中から電子アルバムの作成対象となる複数の画像データを選択する画像選択手段と、
上記画像選択手段により選択された複数の画像データの各々を、電子アルバムに含まれる複数のページのいずれかに配置および合成して電子アルバムを作成する電子アルバム生成手段と、
地図情報を記憶した地図記憶手段と、
上記画像選択手段により選択された複数の画像データの撮影場所を全て含む地図範囲を特定する地図範囲特定手段と、
上記地図範囲特定手段により特定された地図範囲の地図画像を上記地図情報に基づいて生成する地図画像生成手段と、
上記地図画像生成手段により生成された地図画像上に、上記画像選択手段により選択された複数の画像データの撮影地点を示すシンボルを合成する合成手段と、
上記合成手段によりシンボルが合成された地図画像を、電子アルバムのインデックスページとして上記電子アルバム内に挿入するインデックスページ挿入手段と、
を備えたことを特徴とする画像記録装置。
【請求項２】
上記画像選択手段により選択された複数の画像データを、上記撮影情報に基づいて複数のグループに分割するグループ分割手段を更に備え、
上記電子アルバム生成手段は、上記グループ分割部により分割されたグループ毎に、連続するページ番号が付加されるようにして電子アルバムを作成し、
上記地図範囲特定手段は、上記グループ毎に、グループに含まれる複数の画像データの撮影場所を全て含む地図範囲を特定し、
上記地図画像生成手段は、上記グループ毎に、上記地図範囲特定手段により特定された地図範囲の地図画像を生成し、
上記合成手段は、上記グループ毎に、上記地図画像生成手段により生成された地図画像上に、グループに含まれる複数の画像データの撮影場所を示すシンボルを合成し、
上記インデックスページ挿入手段は、上記複数のグループの各々に対応して上記合成手段で合成された地図画像を、上記電子アルバム内の各グループのインデックスページとして、各グループに対応して付加された連続するページ番号の先頭位置に挿入する
ことを特徴とする請求項１記載の画像記録装置。
【請求項３】
上記グループ分割手段は、上記画像選択手段により選択された複数の画像データを、上記撮影情報の類似度を基準として複数のグループに分割する
ことを特徴とする請求項２記載の画像記録装置。
【請求項４】
上記画像記録手段は、撮影場所及び撮影日時を含む撮影情報を付加した画像データを複数記録し、
上記グループ分割部は、上記画像選択手段により選択された複数の画像データを、上記撮影日時、上記撮影場所、あるいは上記撮影場所と撮影日時の両方の類似度を基準として複数のグループに分割する
ことを特徴とする請求項３記載の画像記録装置。
【請求項５】
上記グループ分割手段は、グループ分割する際の基準として用いる撮影情報をユーザに選択させる
ことを特徴とする請求項４記載の画像記録装置。
【請求項６】
上記グループ分割手段は、分割するグループ数が所定範囲に収まるように上記基準となる類似度を調整して分割を行う
ことを特徴とする請求項２乃至５のいずれかに記載の画像記録装置。
【請求項７】
上記グループ分割手段は、上記画像選択手段により選択された複数の画像データに付加された撮影日時を、単位時間毎に分割し、分割した単位時間毎の撮影頻度の増減分布のピークとなる日時に対応させて、複数のグループを分割する
ことを特徴とする請求項６記載の画像記録装置。
【請求項８】
上記グループ分割手段は、分割した単位時間毎の撮影頻度の増減分布のピーク値が高いほど、分割するグループの時間幅を大きく設定する
ことを特徴とする請求項７記載の画像記録装置。
【請求項９】
上記グループ分割手段は、上記画像選択手段により選択された複数の画像データに付加された撮影場所を、地図上の単位領域毎に分割し、分割した単位領域毎の撮影密度の増減分布のピークとなる位置に対応させて、複数のグループを分割する
ことを特徴とする請求項６乃至８のいずれかに記載の画像記録装置。
【請求項１０】
上記グループ分割手段は、分割した地図上の単位領域毎の撮影密度の増減分布のピーク値が高いほど、分割するグループの領域範囲を大きく設定する
ことを特徴とする請求項９記載の画像記録装置。
【請求項１１】
上記グループ分割手段で分割した各グループに属する画像データの数が予め設定した数を超えたか否かを判断する判断手段を更に備え、
上記グループ分割手段は、上記判断手段で予め設定した数を超えたと判断されたグループがある場合、当該グループを更に複数の下位の階層のサブグループに分割し、
上記地図範囲特定手段、上記地図画像生成手段、および上記合成手段は、更に、上記複数のサブグループに対応させて、地図範囲の特定、地図画像の生成、およびシンボルの合成を行い、
上記電子アルバム生成手段は、更に、上記グループ分割部により分割されたサブグループ毎に、連続するページ番号が付加されるようにして電子アルバムを作成し、
上記インデックスページ挿入手段は、更に、上記複数のサブグループの各々に対応して上記合成部で合成された地図画像を、各サブグループのインデックスページとして、各サブグループに対応して付加された連続するページ番号の先頭位置に挿入する
ことを特徴とする請求項２乃至１０のいずれかに記載の画像記録装置。
【請求項１２】
上記合成手段は、更に、上記合成された複数のシンボル間を、各シンボルに対応する画像データの撮影日時の順番に結線するラインを合成する
ことを特徴とする請求項１乃至１１のいずれかに記載の画像記録装置。
【請求項１３】
画像データに写された人物の顔部分を認識する顔認識手段を更に備え、
上記グループ分割手段は、上記画像選択手段により選択された複数の画像データを、上記顔認識手段で認識された顔部分の類似度を基準として複数のグループに分割する
ことを特徴とする請求項２乃至１２のいずれかに記載の画像記録装置。
【請求項１４】
上記合成手段は、上記画像データの撮影場所を示すシンボルとして、当該画像データから得た縮小画像を合成する
ことを特徴とする請求項１乃至１３のいずれかに記載の画像記録装置。
【請求項１５】
上記電子アルバム生成手段は、上記電子アルバム内の各ページに、各ページ内に含まれる画像データを示す符号を合成し、
上記合成手段は、上記画像データの撮影場所を示すシンボルとして、当該画像データを示す符号を合成する
ことを特徴とする請求項１乃至１４のいずれかに記載の画像記録装置。
【請求項１６】
上記画像記録手段は、複数の項目からなる撮影情報を付加した画像データを複数記録し、
上記グループ分割手段は、上記画像選択手段により選択された複数の画像データを、上記撮影情報に含まれる複数の項目に基づいて階層的にグループおよびサブグループに分割する
ことを特徴とする請求項２乃至１５のいずれかに記載の画像記録装置。
【請求項１７】
上記電子アルバムに含まれる各ページを、各ページに付加されたページ番号の順番で表示する電子アルバム表示手段を更に備える
ことを特徴とする請求項２乃至１６のいずれかに記載の画像記録装置。
【請求項１８】
上記電子アルバム表示手段は、上記インデックスページの表示に際して、このインデックスページに対応するグループ内の画像データに対応した縮小画像を、このインデックスページ上の撮影場所に対応する位置に、撮影時刻の順序に従って順番に表示する
ことを特徴とする請求項１７記載の画像記録装置。
【請求項１９】
上記電子アルバム表示手段は、上記インデックスページの表示に際して、このインデックスページ内の任意の位置がユーザによって指定された場合に、この指定された位置に対応する画像データ-を表示する
ことを特徴とする請求項１７または１８に記載の画像記録装置。
【請求項２０】
撮影場所を含む撮影情報を付加した画像データを複数記録した画像記録手段と、地図情報を記憶した地図記憶手段と、を備えた画像記録装置の画像記録方法であって、
上記画像記録手段の中から電子アルバムの作成対象となる複数の画像データを選択する画像選択ステップと、
上記画像選択ステップにより選択された複数の画像データの各々を、電子アルバムに含まれる複数のページのいずれかに配置および合成して電子アルバムを作成する電子アルバム生成ステップと、
上記画像選択ステップにより選択された複数の画像データの撮影場所を全て含む地図範囲を特定する地図範囲特定ステップと、
上記地図範囲特定ステップにより特定された地図範囲の地図画像を上記地図情報に基づいて生成する地図画像生成ステップと、
上記地図画像生成ステップにより生成された地図画像上に、上記画像選択ステップにより選択された複数の画像データの撮影地点を示すシンボルを合成する合成ステップと、
上記合成ステップによりシンボルが合成された地図画像を、電子アルバムのインデックスページとして上記電子アルバム内に挿入するインデックスページ挿入ステップと、
を含むことを特徴とする画像記録方法。
【請求項２１】
撮影場所を含む撮影情報を付加した画像データを複数記録した画像記録手段と、地図情報を記憶した地図記憶手段と、を備えた画像記録装置の制御プログラムであって、
上記画像記録装置のコンピュータに、
上記画像記録手段の中から電子アルバムの作成対象となる複数の画像データを選択する画像選択ステップと、
上記画像選択ステップにより選択された複数の画像データの各々を、電子アルバムに含まれる複数のページのいずれかに配置および合成して電子アルバムを作成する電子アルバム生成ステップと、
上記画像選択ステップにより選択された複数の画像データの撮影場所を全て含む地図範囲を特定する地図範囲特定ステップと、
上記地図範囲特定ステップにより特定された地図範囲の地図画像を上記地図情報に基づいて生成する地図画像生成ステップと、
上記地図画像生成ステップにより生成された地図画像上に、上記画像選択ステップにより選択された複数の画像データの撮影地点を示すシンボルを合成する合成ステップと、
上記合成ステップによりシンボルが合成された地図画像を、電子アルバムのインデックスページとして上記電子アルバム内に挿入するインデックスページ挿入ステップと、
を実行させることを特徴とするプログラム。